(57)【要約】【課題】比較的簡単な構造で用箋を確実に綴じることができる低廉な綴じ具を提供する。【解決手段】この綴じ具１０は、長さ方向を有する基体１２と、基体１２の長さ方向に延びるように連設されたくし保持体１４と、くし保持体１４に、適宜な間隔をおいて長さ方向と交差する方向に突き出し設けられた複数のくし体１６と、くし保持体１４が連設された側とは適宜な距離をおいて、基体１２の表面側より挿入されたくし体１６の先端近傍が基体１２の裏面側において保持されるように、くし体１６の先端近傍を孔縁近傍において保持するくし保持孔１８とを備え、基体１２と、くし保持体１４と、くし体１６と、くし保持孔１８とは、弾性合成樹脂製板体により一体成形されている。【選択図】図１
2006076098.tif 000002
【特許請求の範囲】
【請求項１】
長さ方向を有する基体と、
前記基体の長さ方向に延びるように連設されたくし保持体と、
前記くし保持体に、適宜な間隔をおいて長さ方向と交差する方向に突き出し設けられた複数のくし体と、
前記くし保持体が連設された側とは適宜な距離をおいて、基体の表面側より挿入されたくし体の先端近傍が基体の裏面側において保持されるように、前記くし体の先端近傍を孔縁近傍において保持するくし保持孔とを備え、
前記基体と、くし保持体と、くし体と、くし保持孔とは、弾性合成樹脂製板体により一体成形された、綴じ具。
【請求項２】
前記くし保持孔は、くし体の先端が差し込まれる方向と交差する方向における側に、くし体の先端近傍を保持する孔縁よりくし体の先端が差し込まれる方向に向けて延びるくしの抜き孔が連設された、請求項１に記載の綴じ具。
【請求項３】
前記基体は、
用箋の綴じ穴と用箋の端縁の間の間隔以上の幅を有する綴じ代領域と、
前記綴じ代領域に隣接して長さ方向に、適宜な間隔をおいて連続してくし保持孔が形成されたくし保持孔領域と、
前記くし保持孔領域に隣接して、くし保持体とは反対側において長さ方向に延びるくし係止領域とを備えた、略長方形状板体であり、
前記くし保持体は、
前記基体の綴じ代領域に折り曲げ部を介して、基体の長さ方向に延びるように連設された方形状の板体であり、
前記くし体は、
前記くし保持体の折り曲げ部と対向する端縁に用箋の綴じ穴の間隔に対応した間隔をおいて突き出し設けられた、請求項１または２に記載の綴じ具。
【請求項４】
前記くし体の先端近傍を保持するための、前記くし保持孔の孔縁近傍部位との間において、差し込まれたくし体の先端近傍を押圧する押圧体が設けられた、請求項１ないし３のいずれかに記載の綴じ具。
【請求項５】
前記押圧体は、本綴じ具が固定されるファイル表紙である、請求項４に記載の綴じ具。
【発明の詳細な説明】
【技術分野】
【０００１】
この発明は、とじ穴を開けられた用箋等を綴じる綴じ具に関し、特に例えば、弾性合成樹脂製板体により成形されたファイル用綴じ具に関する。
【背景技術】
【０００２】
従来の綴じ具として、主として金属製のリングバインダーや、合成樹脂を成形した横開き式などのバインダーがある。
【０００３】
【非特許文献１】コクヨ株式会社より１９９８年７月に発行されたコクヨプレス（第３頁）
【発明の開示】
【発明が解決しようとする課題】
【０００４】
従来の金属製リングバインダーや合成樹脂製バインダーは、いずれも複雑な構造で高価な金型を用いて成形されてなる。
例えば、合成樹脂製横開き式バインダーは、その略全体が射出成形により成形されており、その構成は複雑であり、その製造に用いる金型も複雑で高価なものとなる。
現在、複雑で高級なものが望まれる一方、より簡単な構造で比較的低廉な綴じ具が望まれている。
図１０に示すように、ノート表紙に取り付けるベース１に一対の綴じ足３ａ，３ｂが突設され、該綴じ足３ａ，３ｂを指で摘んでその間隔を縮めて、用箋の綴じ穴に嵌挿することにより綴じ、また、用箋の綴じ穴から取り外すことができるように構成された、綴じ具５がある。
しかしながら、この綴じ具５も比較的簡単な構造ではあるが、射出成形等により成形しなければならず、コストがその分かかるとともに、綴じ足３ａ，３ｂの弾力性により用箋を保持するように構成されているために、用箋を綴じ込んだとき、用箋が綴じ足より外れる恐れがある。
【０００５】
それゆえに、この発明の主たる目的は、比較的簡単な構造で用箋を確実に綴じることができる低廉な綴じ具を提供することである。
【課題を解決するための手段】
【０００６】
この発明の請求項１にかかる綴じ具は、長さ方向を有する基体と、基体の長さ方向に延びるように連設されたくし保持体と、くし保持体に、適宜な間隔をおいて長さ方向と交差する方向に突き出し設けられた複数のくし体と、くし保持体が連設された側とは適宜な距離をおいて、基体の表面側より挿入されたくし体の先端近傍が基体の裏面側において保持されるように、くし体の先端近傍を孔縁近傍において保持するくし保持孔とを備え、基体と、くし保持体と、くし体と、くし保持孔とは、弾性合成樹脂製板体により一体成形された、綴じ具である。
この発明の請求項２にかかる綴じ具は、くし保持孔は、くし体の先端が差し込まれる方向と交差する方向における側に、くし体の先端近傍を保持する孔縁よりくし体の先端が差し込まれる方向に向けて延びるくしの抜き孔が連設された、請求項１に記載の綴じ具である。
この発明の請求項３にかかる綴じ具は、基体は、用箋の綴じ穴と用箋の端縁の間の間隔以上の幅を有する綴じ代領域と、綴じ代領域に隣接して長さ方向に、適宜な間隔をおいて連続してくし保持孔が形成されたくし保持孔領域と、くし保持孔領域に隣接して、くし保持体とは反対側において長さ方向に延びるくし係止領域とを備えた、略長方形状板体であり、くし保持体は、基体の綴じ代領域に折り曲げ部を介して、基体の長さ方向に延びるように連設された方形状の板体であり、くし体は、くし保持体の折り曲げ部と対向する端縁に用箋の綴じ穴の間隔に対応した間隔をおいて突き出し設けられた、請求項１または２に記載の綴じ具である。
この発明の請求項４にかかる綴じ具は、くし体の先端近傍を保持するための、くし保持孔の孔縁近傍部位との間において、差し込まれたくし体の先端近傍を押圧する押圧体が設けられた、請求項１ないし３のいずれかに記載の綴じ具である。
この発明の請求項５にかかる綴じ具は、押圧体は、本綴じ具が固定されるファイル表紙である、請求項４に記載の綴じ具である。
【発明の効果】
【０００７】
この発明によれば、基体とくし保持体とくし体とくし保持孔とは、弾性合成樹脂製板体により一体成形されており、その製造のための金型は比較的簡単な構造のものを採択できる。また、基体の表面側より挿入されたくし体の先端近傍が、基体の裏面側において保持されるように、くし保持孔にくし体の先端近傍をその孔縁近傍において保持することにより、くし体に挿入された用箋等を綴じることができ、また、くし保持孔にくしの先端近傍を保持されたくし体をくし保持孔より引き抜くことにより、くし体の先端を開放してそれに綴じられた用箋等を外すことができるので、比較的簡単な構造でありながら、綴じ具としての機能を充分果たすことができる。
請求項２の発明によれば、くし保持孔は、くし体の先端が差し込まれる方向と交差する方向における側に、くし体の先端近傍を保持する孔縁よりくし体の先端が差し込まれる方向に向けて延びるくしの抜き孔が連設されているので、くし体に綴じられた用箋等をくし体の先端が差し込まれる方向とは交差する方向にわずかに動かすことによりくし体をくしの抜き穴から引き抜くことができる。
請求項３の発明によれば、基体は、用箋の綴じ穴と用箋の端縁の間の間隔以上の幅を有する綴じ代領域と、綴じ代領域に隣接して長さ方向に、適宜な間隔をおいて連続してくし保持孔が形成されたくし保持孔領域と、くし保持孔領域に隣接して、くし保持体とは反対側において長さ方向に延びるくし係止領域とを備えた、略長方形状板体であり、くし保持体は、基体の綴じ代領域に折り曲げ部を介して、基体の長さ方向に延びるように連設された方形状の板体であり、くし体は、くし保持体の折り曲げ部と対向する端縁に用箋の綴じ穴の間隔に対応した間隔をおいて突き出し設けられているので、弾性合成樹脂製板体を打ち抜き加工することにより一体成形することが容易である。
請求項４の発明によれば、くし体の先端近傍を保持するための、くし保持孔の孔縁近傍部位との間において、差し込まれたくし体の先端近傍を押圧する押圧体が設けられているので、差し込まれたくし体の先端が基体と押圧体との間において挟圧され、確実に用箋を綴じることができる。
請求項５の発明によれば、押圧体は、本綴じ具が固定されるファイル表紙であるので、基体をファイル表紙に溶着すれば、くし体を挟持する押圧体を形成することができる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、この発明の一実施の形態であるファイルに用いられる綴じ具の平面図解図である。
図２は、図１図示綴じ具のくし体を立ち上げた状態の斜視図解図である。
図３は、図１図示綴じ具のくし体をくし保持孔に差し込んだ状態の斜視図解図である。
図４は、用箋を綴じた状態を示す図１図示綴じ具の斜視図解図である。
図５は、くし体をとじた状態を示す図１図示綴じ具の平面図解図である。
図６は、くし体をとじた状態を示す断面図解図である。
【００１０】
この綴じ具１０は、ファイル表紙５０の高さに合わせた長さを備える平面視略長方形状の長さ方向を有する基体１２と、前記基体１２の長さ方向に延びるように連設された平面視略長方形状のくし保持体１４と、前記くし保持体１４と適宜な間隔をおいて長さ方向と交差する方向に突き出し設けられた複数のくし体１６と、前記くし保持体１４が連設された側とは適宜な距離をおいて、基体１２の表面側より挿入されたくし体１６の先端近傍が基体１２の裏面側において保持されるように、前記くし体１６の先端近傍をその孔縁近傍において保持するくし保持孔１８とを備える。
【００１１】
前記基体１２とくし保持体１４とくし体１６とくし保持孔１８とは、ポリプロピレン等の弾性合成樹脂製板体により、一体成形されてなり、この実施の形態におけるそれらは、一枚の弾性合成樹脂製板体を打ち抜き加工することにより形成されている。そして、綴じ具１０、特に基体１２は、ファイルに高周波シール法や超音波シール法などの熱融着法により溶着されるに適する合成樹脂、例えば、ポリプロピレン等の熱可塑性プラスチックによって形成されている。
【００１２】
基体１２は、弾性合成樹脂製板体からなる平面視略長方形状であり、用箋６０の綴じ穴６２と用箋６０の端縁との間隔以上の幅を有する綴じ代領域２０と、前記綴じ代領域２０に隣接して基体１２の長さ方向に適宜な用箋６０の綴じ穴６２と対応するように適宜な間隔をおいて、連続してくし保持孔１８が形成されたくし保持孔領域２２とを有する（図５図示）。
さらに、基体１２は、くし保持孔領域２２に隣接して、くし保持体１４とは反対側において長さ方向に延びるくし係止領域２４と、該くし係止領域２４と隣接し、基体１２のくし保持体１４とは反対側の長手端縁近傍でこの綴じ具１０をファイル表紙５０に溶着する固着領域２６とを備える（図５図示）。
【００１３】
前記くし保持体１４は、前記基体１２の綴じ代領域２０の長手縁に折り曲げ部２８を介して基体１２の長さ方向に延びるように連設された方形状の板体である。
くし保持体１４と基体１２の綴じ代領域２０との間に形成された折り曲げ部２８は、連設された基体１２とくし保持体１４との境界において、くし保持体１４と基体１２の上端から下端に亘って連続して、その表面より反対側面に向けて凹み設けられた直線状の凹み条である。
くし保持体１４は、前記折り曲げ部２８において、基体１２と略９０°の角度を成すまで立ち上げることができ、くし保持体１４が立ち上げられた位置において、くし体１６は、基体１２のくし保持孔１８に向けて湾曲するように構成されている。くし保持体１４のくし体１６が形成されていない部位は、折り曲げ部２８と平行の略直線状であり、綴じられた用箋６０がその上に安定して載置できるように形成されている。
【００１４】
くし体１６は、くし保持体１４を立ち上げたときに綴じ代領域２０を越えてくし保持孔１８に達し用箋６０を綴じるに適する長さと、用箋６０の綴じ穴６２に嵌挿されるに適する幅とを備えている。そして、くし体１６は、前記くし保持体１４の折り曲げ部２８と対向する端縁に綴じられる用箋６０の綴じ穴６２の間隔に対応した間隔をおいて、基体１２とは反対側で基体１２およびくし保持体１４の長さ方向と直交する方向に向けて突き出し設けられた平面視略Ｕ字型の舌状片であり、くし保持体１４側の湾曲領域１６ａとそれに続く先端領域１６ｂとを有する。
くし体１６は、くし保持体１４の長手方向における中央に対し、対称の位置に形成され、くし保持体１４の左右端縁より内側に入った位置からくし体１６が形成され、等間隔をおいて左右から中央に向けて２６本並設されている。
【００１５】
そして、くし体１６は、直線状の両側の側縁と平面視略円形の先端縁とを有しており、くし保持孔１８に差し込まれて保持されるが、くし体１６の先端は、くし保持孔１８に差し込まれたとき基体１２の裏面側にほぼ沿うように、くし体１６の湾曲領域１６ａと先端領域１６ｂとの境において、屈曲部１６ｃが、くし体１６の裏面側で幅方向に、その右端縁から左端縁に亘って連続して形成されている。屈曲部１６ｃは、くし体１６の裏面側に設けられた直線状の凹み条からなる。
【００１６】
くし保持孔１８の形状は、くし体１６の長手方向の左右両端縁と直交する直線状入口縁１８ａと、前記入口縁１８ａよりくし体１６と離れる方向に向けてくし体１６の左右両端縁と平行に延びる直線状左端縁１８ｂおよび直線状右端縁１８ｃと、左端縁１８ｂと右端縁１８ｃの先端からくし体１６より離れる方向に向けて延びる平面視略円形状の係止縁１８ｄとからなる。
基体１２のくし係止領域２４は、くし保持孔１８の係止縁１８ｄの端縁から固着領域２６の間に形成され、この実施の形態においては、くし体１６の屈曲部１６ｃより先端の先端領域１６ｂが係止縁１８ｄより外側（くし保持体１４とは反対側の長手端縁側）に入り込むのに充分な幅を有して、基体１２の長手方向に帯状に延びるように形成されている。
そして、基体１２の固着領域２６は、くし係止領域２４に隣接しくし係止領域２４に沿って、基体１２のくし保持体１４とは反対側の長手端縁との間に形成され、ファイル表紙５０に固着される。
而して、基体１２のくし係止領域２４とファイル表紙５０との間の少ない間隙内にくし体１６の先端領域１６ｂが入り込み挟持されるので、くし体１６が基体１２のくし係止領域２４側から抜け出る恐れは少ない。
【００１７】
この実施の形態においては、綴じ具１０は、基体１２のくし保持体１４とは反対側の長手縁の近傍の裏面側、すなわち、固着領域２６の裏面側にファイル表紙５０の背表紙部近傍に溶着されて固定される。
そして、ファイル表紙５０の綴じ具１０を取り付けた部位は、くし体１６の先端近傍を保持するための、前記くし保持孔１８の孔縁近傍部位（基体１２の裏面）との間において差し込まれたくし体１６の先端領域１６ｂを押圧するための押圧体を構成する。
【００１８】
この綴じ具１０を製造するに際しては、まず、綴じ具１０を構成するポリプロピレンなどの弾性合成樹脂製板体を準備し、基体１２、くし保持体１４、くし体１６およびくし保持孔１８を打抜き加工するための刃が形成されたトムソン刃をもって、一度に打抜き加工することにより、所定形状に成形される。
そして、ファイル表紙５０の所定位置には、高周波シール法や超音波シール法などの熱融着法による溶着等の接着方法で基体１２を固定することにより、綴じ具１０を備えたファイルを作成することができる。
【００１９】
この発明は、前記実施の形態に限らず、種々、変更することができる。
前記実施の形態においては、くし体１６をくし保持孔１８に係止するために差し込むときの係止孔と、くし保持孔１８からくし体１６を抜くときの抜き孔とが一つの孔によって構成されているが、くし保持孔１８をくし体１６に係止するときの係止孔とくし体１６をくし保持孔１８から抜くときの孔である抜き孔とを別々に形成してもよい。
【００２０】
例えば、図８に示す綴じ具１１０のくし保持孔１１８は、基体１１２の中央長手方向に延びるくし保持孔領域１２２において、くし体１１６の長手方向における延長線上に係止孔１３０が形成され、その外方向に連続して抜き孔１３２が穿設されている。
すなわち、係止孔１３０は、くし体１１６の幅方向に向けて、くし体１１６の幅の倍以上の長さを有する入口縁１１８ａと、入口縁１１８ａの右端部よりくし体１１６の離れる方向に向けて延びくし体１１６の右端縁と平行に形成された右端縁１１８ｃと、右端縁１１８ｃの前端よりくし体１１６の幅方向に向けて延びる係止縁１１８ｄとから形成されている。係止縁１１８ｄより外側、すなわち、くし保持体１１４より離れる側がくし係止領域１２４を構成し、またくし係止領域１２４に隣接し、基体１１２のくし保持体１１４とは反対側の長手端縁近傍で、この綴じ具１１０をファイル表紙１５０に溶着する固着領域１２６を構成する。
【００２１】
抜き孔１３２は、入口縁１１８ａの左端部よりくし体１１６の長手方向に延びる左端縁１１８ｂと、前記係止孔１３０の係止縁１１８ｄの中央端部よりくし体１１６とは離れる方向に向けて延びる抜き右端縁１１８ｅと、左端縁１１８ｂと抜き右端縁１１８ｅとの間において、その先端部を結ぶ抜き縁１１８ｆとから形成されている。
くし体１１６は、くし保持孔１１８に差し込まれ係止されるとき、湾曲領域１１６ａおよび先端領域１１６ｂとが直線状に係止孔１３０に向けて延びるようにくし保持体１１４に突設され、くし体１１６をくし保持孔１１８から抜くときは、くし体１１６に綴じられた用箋６０を抜き孔１３２方向に向けてずらすことによって、くし体１１６とは離れる方向に長く延びた抜き孔１３２からくし体１１６を容易に抜くことができるように構成されている。
【００２２】
なお、その他の構成は、前記図１図示綴じ具１０と同様であり、くし保持体１１４は、基体１１２の綴じ代領域１２０により折り曲げ部１２８を介して連設され、くし体１１６は、湾曲領域１１６ａと先端領域１１６ｂとの境界に屈曲部１１６ｃが形成されている。
【産業上の利用可能性】
【００２３】
この発明にかかる綴じ具は、用箋等を綴じるファイルの綴じ具に適用できる。
【図面の簡単な説明】
【００２４】
【図１】この発明の一実施の形態であるファイルに用いられる綴じ具の平面図解図である。
【図２】図１図示綴じ具のくし体を立ち上げた状態の斜視図解図である。
【図３】図１図示綴じ具のくし体をくし保持孔に差し込んだ状態の斜視図解図である。
【図４】用箋を綴じた状態を示す図１図示綴じ具の斜視図解図である。
【図５】くし体をとじた状態を示す図１図示綴じ具の平面図解図である。
【図６】くし体をとじた状態を示す断面図解図である。
【図７】図１図示綴じ具をファイル表紙に取り付けた状態を示す斜視図解図である。
【図８】別の実施の形態である綴じ具の平面図解図である。
【図９】くし体をとじた状態を示す図８図示綴じ具の平面図解図である。
【図１０】従来の綴じ具の斜視図解図である。
【符号の説明】
【００２５】
１  ベース
３ａ，３ｂ  綴じ足
５，１０，１１０  綴じ具
１２，１１２  基体
１４，１１４  くし保持体
１６，１１６  くし体
１６ａ，１１６ａ  （くし体の）湾曲領域
１６ｂ，１１６ｂ  （くし体の）先端領域
１６ｃ，１１６ｃ  （くし体の）屈曲部
１８，１１８  くし保持孔
１８ａ，１１８ａ  （くし保持孔の）入口縁
１８ｂ，１１８ｂ  （くし保持孔の）左端縁
１８ｃ，１１８ｃ  （くし保持孔の）右端縁
１８ｄ，１１８ｄ  （くし保持孔の）係止縁
１１８ｅ  （くし保持孔の）抜き右端縁
１１８ｆ  （くし保持孔の）抜き縁
２０，１２０  綴じ代領域
２２，１２２  くし保持孔領域
２４，１２４  くし係止領域
２６，１２６  固着領域
２８，１２８  折り曲げ部
５０，１５０  ファイル表紙
６０  用箋
６２  （用箋の）綴じ穴
１３０  係止孔
１３２  抜き孔
【図１】
2006076098.tif 000003
【図２】
2006076098.tif 000004
【図３】
2006076098.tif 000005
【図４】
2006076098.tif 000006
【図５】
2006076098.tif 000007
【図６】
2006076098.tif 000008
【図７】
2006076098.tif 000009
【図８】
2006076098.tif 000010
【図９】
2006076098.tif 000011
【図１０】
2006076098.tif 000012